(57)【要約】【課題】粘着剤を用いずに様々な形状の肩受部に対応して、衣類の滑落や型崩れを確実に防止するハンガー滑り止め構造を提供する。【解決手段】衣類Ａ掛け用のハンガー本体２と、エラストマーから成る拡縮弾性変形自在の筒状ネット部材１と、を備え、ハンガー本体２の肩受部20，20の各々にネット部材１，１を外嵌状に取着する。【選択図】図１
2010124944.tif 000002
【特許請求の範囲】
【請求項１】
衣類（Ａ）掛け用のハンガー本体（２）と、エラストマーから成る拡縮弾性変形自在の筒状ネット部材（１）と、を備え、上記ハンガー本体（２）の肩受部（20）（20）の各々に上記ネット部材（１）（１）を外嵌状に取着したことを特徴とするハンガー滑り止め構造。
【請求項２】
上記ネット部材（１）を、上記肩受部（20）の長手方向（Ｎ）に移動自在として取着した請求項１記載のハンガー滑り止め構造。
【請求項３】
上記ネット部材（１）を、折り返して、上記肩受部（20）に、上記衣類（Ａ）の紐部（ａ）の掛止用段差部（30）を形成した請求項１及び２記載のハンガー滑り止め構造。
【請求項４】
上記ネット部材（１）の自然状態の長さ寸法（Ｌ1 ）を、上記肩受部（20）の長手方向寸法（Ｌ20）の20％以上90％以下とした請求項１，２又は３記載のハンガー滑り止め構造。
【請求項５】
上記ネット部材（１）は、押出成形したエラストマーの長尺筒状体（10）を、所定短寸法に切断して形成されている請求項１，２，３又は４記載のハンガー滑り止め構造。
【発明の詳細な説明】
【技術分野】
【０００１】
本発明は、ハンガー滑り止め構造に関する。
【背景技術】
【０００２】
従来、衣類用のハンガー滑り止め構造は、例えば特許文献１記載のように、衣類の肩部が掛けられる肩受部にシート状部材を貼着して衣類の滑りを防止する構造のものがあった。また、特許文献２記載のように、肩受部の端部にキャップ状部材を嵌着して衣類の滑りを防止する構造のものがあった。
【特許文献１】登録実用新案第３０４３７００号公報
【特許文献２】特公平７−１０６１７１号公報
【発明の開示】
【発明が解決しようとする課題】
【０００３】
しかし、シート状部材を貼着した構造は、衣類の取り外しの際に、シート状部材の端部がめくれ容易に剥がれてしまうといった問題があった。さらに、ハンガー本体に残ったシート状部材の粘着剤が、衣類に付着して汚してしまうという問題があった。
また、キャップ状部材を嵌着する構造は、ハンガー本体の肩受部とキャップ状部材の形状が対応していなければならなかった。また、キャップ状部材は、箱状（有底筒状）のため弾性変形の自由度が低く、装着が非常に困難という問題があった。また、肩受部が端部に向かうにつれ大きく拡大膨出状となっている場合では、キャップ状部材の取付は困難であった。仮に、膨出状の端部に対応してキャップ部材の開口部を大きく形成すると、密着性が損なわれ、衣類と共に滑落してしまうという問題があった。
【０００４】
そこで、本発明は、粘着剤を用いずに様々な形状の肩受部に対応して、衣類の滑落や型崩れを確実に防止するハンガー滑り止め構造の提供を目的とする。
【課題を解決するための手段】
【０００５】
上記目的を達成するために、本発明のハンガー滑り止め構造は、衣類掛け用のハンガー本体と、エラストマーから成る拡縮弾性変形自在の筒状ネット部材と、を備え、上記ハンガー本体の肩受部の各々に上記ネット部材を外嵌状に取着したものである。
【０００６】
また、上記ネット部材を、上記肩受部の長手方向に移動自在として（長手方向位置の変更調整可能として）取着したものである。
また、上記ネット部材を、折り返して、上記肩受部に、上記衣類の紐部の掛止用段差部を形成したものである。
また、上記ネット部材の自然状態の長さ寸法を、上記肩受部の長手方向寸法の20％以上90％以下としたものである。
また、上記ネット部材は、押出成形したエラストマーの長尺筒状体を、所定短寸法に切断して形成されているものである。
【発明の効果】
【０００７】
本発明のハンガー滑り止め構造によれば、肩受部での衣類の滑りを阻止し、衣類の滑落や衣類の型崩れを容易に防止できる。様々な形状の肩受部を有するハンガー本体に、衣類の滑り止め機能を簡単に付与できる。また、粘着剤を用いずに衣類の滑り止め作用を得ることができ、衣類の汚れを防止できる。
【発明を実施するための最良の形態】
【０００８】
以下、実施の形態を示す図面に基づき本発明を詳説する。
図１は本発明のハンガー滑り止め構造の実施の形態を示す斜視図である。
本発明のハンガー滑り止め構造は、衣類Ａの肩部が掛けられる一対の合成樹脂製の肩受部20，20を有するハンガー本体２と、肩受部20，20の各々に外嵌状に取着される筒状ネット部材１，１と、を備えている。
【０００９】
ハンガー本体２は、頂部に金属製の吊り下げ用フック部材22が取着されると共に衣類の襟部を受ける合成樹脂製の山型状襟受部21を有している。一対の肩受部20，20は、襟受部21の両側から斜前方下傾突出状に樹脂成形により一体成形されている。また、肩受部20の端部20ａは、先端に向かうにつれ（最先端部を除いて言えば）膨出状となっている。
ここで、肩受部20の突出方向（図１の矢印Ｎの方向）を、肩受部20の長手方向Ｎと呼ぶ。また、襟受部21から肩受部20への反転部５から肩受部20の先端部までの長さを長手方向寸法Ｌ20とする。
【００１０】
ネット部材１は、熱可塑性のポリエステル系エラストマーから成り、拡縮弾性変形自在な（弾性力による自然状態への復元性が高い）ものである。衣類に対して十分な摩擦抵抗を付与できる滑り止め部材である。なお、本発明に於て、「エラストマー」とは、ゴム状弾性を示す高分子物質と定義する。
【００１１】
また、ネット部材１は、自らの弾性によって肩受部20方向へ収縮する力によって、弾発的に外嵌している。接着剤を用いず、弾発力と摩擦力で肩受部20の一定位置に保持され、かつ、長手方向Ｎに人の手で外力を与えれば、移動自在（位置変更可能）である。ネット部材１は、移動先の肩受部20の形状に対応して弾性変形し（少なくとも、肩受部20の上面、左右後面、前面に）密着状に取着する。
【００１２】
図２に、ネット部材１の一例を示す。図２（ａ）は平面図であり、図２（ｂ）は図２（ａ）のＢ−Ｂ断面図である。
ネット部材１は、自然状態で円筒形状であって、自然状態の長さ寸法Ｌ1 を、肩受部20の長手方向寸法Ｌ20の20％以上90％以下として設定している。20％より短いと、衣類Ａに接触しても十分な摩擦抵抗を付与できず、滑落や型崩れを防止できないからである。また、90％より大きいと、肩受部20に取着する際に、摩擦抵抗が大きくなり過ぎて、ネット部材１の着脱が困難となってしまうからである。また、長手方向Ｎへの移動が困難となってしまうからである。なお、長さ寸法Ｌ1 を、長手方向寸法Ｌ20の30％以上50％以下として設定するのがより望ましい。
【００１３】
また、ネット部材１は、エラストマーから成る横断面円形や多角形や楕円等の小径の線状部材11から成るものであって、内径側の多数の線状部材11ａ（11）と外径側の多数の線状部材11ｂ（11）とを有している。
【００１４】
ネット部材１は、図３に示す簡略斜視図のように、押出成形機（図示省略）から押し出された多数の線状部材11（11ａ，11ｂ）により、菱形網目（ネット）状の壁部を有するエラストマーから成る長尺筒状体10を、所定の短寸法に切断して形成したものである。なお、所定の短寸法とは、切断後の自然状態で、上述した長さ寸法Ｌ1 となる寸法である。
【００１５】
長尺筒状体10は、軸心Ｌ0 廻りの一方向に回転する内径側ダイスから押し出された内径側の線状部材11ａが軸心Ｌ0 廻りの一方向にスパイラル状となると共に、軸心Ｌ0 廻りの他方向に回転する外径側ダイスから押し出された外径側の線状部材11ｂが軸心Ｌ0 廻りの他方向にスパイラル状となり、線状部材11ａ，11ｂの立体交差部が一体状に融着（接着）し平面視で菱形網目状の壁部が形成されたものである。
【００１６】
このように、立体交差菱形網目状に形成されたネット部材１は、軸心Ｌ0 のラジアル方向の伸縮性（柔軟性）を有している。変形の自由度が高いと共に弾性力による十分な復元力を有している。また、外周側に、僅かな（線状部材11の直径程度）の凹凸を形成し、接触する衣類Ａに対する摩擦抵抗を十分大きくできる。
【００１７】
上述した本発明のハンガー滑り止め構造の使用方法（作用）について説明する。
人の手によって、ネット部材１内に肩受部20の端部20ａを挿通させ、ネット部材１を肩受部20に被覆状に取着する。図４に示すように、ネット部材１は、端部20ａが膨出状であっても、外形状（衣類Ａの内面に対面する面）に沿って、拡口状に（飲み込むように）弾性変形し、端部20ａの形状に柔軟に対応して確実に肩受部20に取着される。
【００１８】
ネット部材１は、人の手による外力によって、長手方向Ｎにスライド（移動）して端部20ａを容易に乗り越える。肩受部20内で端部20ａよりも細い部分であっても、自らの弾性力（自己復元力）によって、密着状に取着する。例えば、図示省略するが、凹凸波状に形成された肩受部20であっても、ネット部材１は、肩受部20の長手方向に移動し、衣類Ａに対応する所定位置で密着状に取着される。
【００１９】
衣類Ａがハンガー本体２に掛けられると、図５に示す簡略要部断面図のように、肩受部20と衣類Ａの肩部との間にネット部材１が介在する。なお、図５と図６では、図２及び図４に示した内外２重の線状部材11ａ，11ｂを、１重に簡略化して示している。ネット部材１は、掛けられた衣類Ａの内面と面接触し摩擦抵抗によって、寄り皺の発生や、肩受部20からの滑落を防止する。外観では、衣類Ａの肩部に大きな凹凸が形成されず、衣類Ａの美観は保持される（店頭に於ては、ディスプレイされる）。
【００２０】
ここで、ワンピースやキャミソール等の衣類Ａの肩部が線状部材乃至幅の狭い帯状部材である場合、衣類Ａの紐部（紐状乃至帯状部）ａは、ネット部材１との接触面積が小さいため、十分な摩擦抵抗を得ることができない場合がある。
そこで、図６に示すように、ネット部材１を外方向にめくるように折り返すと、衣類Ａの紐部ａが係止可能な掛止用段差部30が肩受部20に形成される。紐部ａよりも端部20ａ寄りに掛止用段差部30を形成することで、ネット部材１がストッパー（当り部材）となって滑りを防止する。紐部ａが乗り越えることが困難な掛止用段差部30が形成される。
【００２１】
なお、本発明は、設計変更可能であって、例えば、ハンガー本体２の外形状は、一文字状乃至山型状等自由である。ハンガー本体１の材質は木製等や金属等自由である。また、ネット部材１の網目形状は、格子状等自由である。
【００２２】
以上のように、本発明は、衣類Ａ掛け用のハンガー本体２と、エラストマーから成る拡縮弾性変形自在の筒状ネット部材１と、を備え、ハンガー本体２の肩受部20，20の各々にネット部材１，１を外嵌状に取着したので、肩受部20での衣類Ａの滑りを阻止し、衣類の滑落や衣類の型崩れを容易に防止できる。様々な形状の肩受部20を有するハンガー本体２に、衣類Ａの滑り止めの機能を付与できる。粘着剤を用いずに衣類Ａの滑り止め作用を得ることができ、粘着剤による衣類Ａの汚れを防止できる。滑り止めであるネット部材１をハンガー本体２から容易に着脱できる。また、ネット部材１はエラストマーから成るので肩受部20に対応するための十分な柔軟性及び弾性を得ることができる。衣類Ａに対して十分な摩擦抵抗を付与でき、衣類Ａに黄ばみや色汚れを与えることを防止できる。
【００２３】
また、ネット部材１を、（人の手によって）肩受部20の長手方向Ｎに移動自在として取着したので、肩幅の広い衣類Ａや、襟口や首口が大きく開口した（ハンガー本体２に掛け代の少ない肩部の）衣類Ａ等、様々な衣類Ａの形状に対応し、確実に滑落や型崩れを防止できる。
【００２４】
また、ネット部材１を、折り返して、肩受部20に、衣類Ａの紐部ａの掛止用段差部30を形成したので、衣類Ａの紐部ａの滑りを防止できる。ネット部材１との接触面積が小さく十分な摩擦抵抗を付与できないような紐部（紐状乃至帯状の肩部）ａの衣類Ａであっても、掛止（係止）によって滑落や型崩れを防止できる。
【００２５】
また、ネット部材１の自然状態の長さ寸法Ｌ1 を、肩受部20の長手方向寸法Ｌ20の20％以上90％以下としたので、衣類Ａに十分な摩擦抵抗を付与し、滑落や型崩れを防止できる。摩擦抵抗が大きくなり過ぎず（滑りを防止しつつ）、ハンガー本体２から、ネット部材１を容易に着脱できる。
【００２６】
ネット部材１は、押出成形したエラストマーの長尺筒状体10を、所定短寸法に切断して形成されているので、ネット部材１を容易かつ安価に大量生産できる。ハンガー本体２の肩受部20の長手寸法Ｌ20に対応する長さ寸法Ｌ1 に容易かつ迅速に対応できる。
【図面の簡単な説明】
【００２７】
【図１】本発明の実施の形態を示す斜視図である。
【図２】ネット部材の一例を示す図であり、（ａ）は平面図であり、（ｂ）は（ａ）のＢ−Ｂ断面図である。
【図３】長尺筒状体の一例を示す斜視図である。
【図４】作用を説明する簡略斜視図である。
【図５】作用を説明する簡略要部断面図である。
【図６】作用を説明する簡略要部断面図である。
【符号の説明】
【００２８】
１  ネット部材
２  ハンガー本体
10  長尺筒状体
20  肩受部
30  掛止用段差部
Ａ  衣類
ａ  紐部
Ｌ1 長さ寸法
Ｌ20  長手方向寸法
Ｎ  長手方向
【図１】
2010124944.tif 000003
【図２】
2010124944.tif 000004
【図３】
2010124944.tif 000005
【図４】
2010124944.tif 000006
【図５】
2010124944.tif 000007
【図６】
2010124944.tif 000008